【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
基台上に支持された対象物体の振動を低減する振動低減装置であって、
前記基台上に第１弾性体によって支持された第１物体と、
前記第１物体の上に第２弾性体によって支持された第２物体と、
前記第１物体に設けられた第１電極と前記第２物体に設けられた第２電極とを有するセンサと、前記センサを使って前記第１電極と前記第２電極との間の距離を求める処理部とを含む検出部と、
前記基台と前記第１物体との間に配置され前記第１物体を駆動する第１駆動部と、
前記検出部による検出結果に基づいて、前記第１電極と前記第２電極との間の距離が一定になるように前記第１駆動部を制御する第１制御部と、
前記基台と前記対象物体との間に配置され前記対象物体を駆動する第２駆動部と、
前記対象物体と前記第２物体との間の距離が一定になるように前記第２駆動部を制御する第２制御部と、
を含み、
前記第２電極と前記処理部とは、前記第２弾性体を介して互いに電気的に接続されている、ことを特徴とする振動低減装置。
【請求項２】
前記第２電極と前記処理部とは、前記第２弾性体と前記第１弾性体と前記第１物体の一部に設けられた導電部材とを介して互いに電気的に接続されている、ことを特徴とする請求項１に記載の振動低減装置。
【請求項３】
前記第１弾性体と前記第２弾性体とは互いに電気的に接続され、
前記第２電極と前記処理部とは、前記第１弾性体と前記第２弾性体とを介して互いに電気的に接続されている、ことを特徴とする請求項１に記載の振動低減装置。
【請求項４】
前記第２電極は、前記第２物体の前記第１物体側の面に設けられ、かつ前記第２弾性体に電気的に接続された導電膜によって形成されている、ことを特徴とする請求項１乃至３のうちいずれか１項に記載の振動低減装置。
【請求項５】
前記センサは、前記第１電極を有する第１プローブと前記第２電極を有する第２プローブとを含み、
前記第２電極は、前記第２物体に設けられた導電部材を介して前記第２弾性体に電気的に接続されている、ことを特徴とする請求項１乃至３のうちいずれか１項に記載の振動低減装置。
【請求項６】
前記検出部は、静電容量センサまたは渦電流式変位センサを含む、ことを特徴とする請求項１乃至５のうちいずれか１項に記載の振動低減装置。
【請求項７】
基台上に支持された対象物体の振動を低減する振動低減装置であって、
前記基台上に第１弾性体によって支持された第１物体と、
前記第１物体の上に第２弾性体によって支持された第２物体と、
前記第１物体に設けられた第１電極と前記第２物体に設けられた第２電極とを有するセンサと、前記センサを使って前記第１電極と前記第２電極との間の距離を求める処理部とを含む検出部と、
前記基台と前記第１物体との間に配置され前記第１物体を駆動する第１駆動部と、
前記検出部の検出結果に基づいて、前記第１電極と前記第２電極との間の距離が一定になるように前記第１駆動部を制御する第１制御部と、
前記基台と前記対象物体との間に配置され前記対象物体を駆動する第２駆動部と、
前記対象物体と前記第２物体との間の距離が一定になるように前記第２駆動部を制御する第２制御部と、
を含み、
前記第２電極と前記処理部とはケーブル線によって互いに電気的に接続され、
前記ケーブル線は、前記第１物体に電気的に接続されずに前記第１物体に固定された固定部分を含む、ことを特徴とする振動低減装置。
【請求項８】
前記ケーブル線は、前記第２電極に接続された接続部分と前記固定部分との間の長さが前記第１物体と前記第２物体との間の距離より長くなるように前記第１物体に固定されている、ことを特徴とする請求項７に記載の振動低減装置。
【請求項９】
前記ケーブル線は、前記第２電極と前記第１物体との間の領域において撓むように前記第１物体に固定されている、ことを特徴とする請求項７又は８に記載の振動低減装置。
【請求項１０】
基板にパターンを形成するリソグラフィ装置であって、
前記基板にパターンを形成するユニットと、
基台上に支持された対象物体の振動を低減する請求項１乃至９のうちいずれか１項に記載の振動低減装置と、
を含み、
前記パターンを形成する前記ユニットは、前記振動低減装置の前記対象物体の上に搭載されている、ことを特徴とするリソグラフィ装置。
【請求項１１】
請求項１０に記載のリソグラフィ装置を用いて基板にパターンを形成する工程と、
前記工程で前記パターンを形成された前記基板を加工する工程と、
を含むことを特徴とする物品の製造方法。
【請求項１２】
基台上に支持された対象物体の振動を制御する装置であって、
第１物体と、
前記基台上に前記第１物体を支持する第１弾性体と、
第２物体と、
前記第１物体上に前記第２物体を支持する第２弾性体と、
前記第１物体に設けられた第１電極と前記第２物体に設けられた第２電極とを含み、前記第１電極と前記第２電極との間の距離を得るための検出を行う検出部と、
前記第１物体を駆動する第１駆動部と、
前記検出部での検出結果に基づいて、前記距離を目標距離に近づけるように前記第１駆動部を制御する第１制御部と、
前記対象物体を駆動する第２駆動部と、
前記対象物体と前記第２物体との間の距離に基づいて、前記第２駆動部を制御する第２制御部と、
を含み、
前記第２電極と前記第１制御部とは、前記第２弾性体を介して互いに電気的に接続されている、ことを特徴とする装置。
【請求項１３】
基台上に支持された対象物体の振動を制御する装置であって、
第１物体と、
前記基台上に前記第１物体を支持する第１弾性体と、
第２物体と、
前記第１物体上に前記第２物体を支持する第２弾性体と、
前記第１物体に設けられた第１電極と前記第２物体に設けられた第２電極とを含み、前記第１電極と前記第２電極との間の距離を得るための検出を行う検出部と、
前記第１物体を駆動する第１駆動部と、
前記検出部での検出結果に基づいて、前記距離を目標距離に近づけるように前記第１駆動部を制御する第１制御部と、
前記対象物体を駆動する第２駆動部と、
前記対象物体と前記第２物体との間の距離に基づいて、前記第２駆動部を制御する第２制御部と、
を含み、
前記第２電極と前記第１制御部とは、ケーブル線を介して互いに電気的に接続され、
前記ケーブル線は、前記第１物体に電気的に接続されずに前記第１物体に固定されている、ことを特徴とする装置。
【請求項１４】
基板にパターンを形成するリソグラフィ装置であって、
前記基板にパターンを形成するユニットと、
前記パターンを形成する前記ユニットが搭載された対象物体の振動を制御する請求項１２に記載の装置と、
を含むことを特徴とするリソグラフィ装置。
【請求項１５】
基板にパターンを形成するリソグラフィ装置であって、
前記基板にパターンを形成するユニットと、
前記パターンを形成する前記ユニットが搭載された対象物体の振動を制御する請求項１３に記載の装置と、
を含むことを特徴とするリソグラフィ装置。
【請求項１６】
請求項１４に記載のリソグラフィ装置を用いて基板にパターンを形成する工程と、
前記工程で前記パターンを形成された前記基板を加工する工程と、
を含むことを特徴とする物品の製造方法。
【請求項１７】
請求項１５に記載のリソグラフィ装置を用いて基板にパターンを形成する工程と、
前記工程で前記パターンを形成された前記基板を加工する工程と、
を含むことを特徴とする物品の製造方法。
【請求項１８】
第１物体と、
基台上に前記第１物体を支持する第１弾性体と、
第２物体と、
前記第１物体上に前記第２物体を支持する第２弾性体と、
前記第１物体に設けられた第１電極と前記第２物体に設けられた第２電極とを含み、前記第１電極と前記第２電極との間の距離を得るための検出を行う検出部と、
前記第１物体を駆動する第１駆動部と、
前記検出部での検出結果に基づいて、前記距離を目標距離に近づけるように前記第１駆動部を制御する第１制御部と、
を含み、
前記第２電極と前記第１制御部とは、前記第２弾性体を介して互いに電気的に接続されている、ことを特徴とする装置。
【請求項１９】
第１物体と、
基台上に前記第１物体を支持する第１弾性体と、
第２物体と、
前記第１物体上に前記第２物体を支持する第２弾性体と、
前記第１物体に設けられた第１電極と前記第２物体に設けられた第２電極とを含み、前記第１電極と前記第２電極との間の距離を得るための検出を行う検出部と、
前記第１物体を駆動する第１駆動部と、
前記検出部での検出結果に基づいて、前記距離を目標距離に近づけるように前記第１駆動部を制御する第１制御部と、
を含み、
前記第２電極と前記第１制御部とは、ケーブル線を介して互いに電気的に接続され、
前記ケーブル線は、前記第１物体に電気的に接続されずに前記第１物体に固定されている、ことを特徴とする装置。
【手続補正２】
【補正対象書類名】明細書
【補正対象項目名】０００８
【補正方法】変更
【補正の内容】
【０００８】
上記目的を達成するために、本発明の一側面としての振動低減装置は、基台上に支持された対象物体の振動を低減する振動低減装置であって、前記基台上に第１弾性体によって支持された第１物体と、前記第１物体の上に第２弾性体によって支持された第２物体と、前記第１物体に設けられた第１電極と前記第２物体に設けられた第２電極とを有するセンサと、前記センサを使って前記第１電極と前記第２電極との間の距離を求める処理部とを含む検出部と、前記基台と前記第１物体との間に配置され前記第１物体を駆動する第１駆動部と、前記検出部による検出結果に基づいて、前記第１電極と前記第２電極との間の距離が一定になるように前記第１駆動部を制御する第１制御部と、前記基台と前記対象物体との間に配置され前記対象物体を駆動する第２駆動部と、前記対象物体と前記第２物体との間の距離が一定になるように前記第２駆動部を制御する第２制御部と、を含み、前記第２電極と前記処理部とは、前記第２弾性体を介して互いに電気的に接続されている、ことを特徴とする。